(57)【要約】【課題】本発明は、時間帯区分ごとの正確な血糖値及び血糖値情報を提供する。【解決手段】本発明は、血糖値測定器５により測定された血糖値及び当該血糖値が測定された測定日時を取得し、当該測定日時に基づいて血糖値を複数の時間帯区分に区分し、当該時間帯区分及び測定日付を軸とする血糖値一覧表２７１の任意の血糖値が選択決定されたことを認識すると時間帯区分変更ポップアップメニュー３００を表示し、左ボタン３０４又は右ボタン３０５が選択されると、選択している血糖値を１つ前又は１つ後の時間帯区分へ移動させることにより、従来と比してより正確な時間帯区分の血糖値及び血糖値情報を提供することができる。【選択図】図２９
2010082008.tif 000002
【特許請求の範囲】
【請求項１】
外部の血糖値測定装置により測定された単数又は複数の血糖値及び当該単数又は複数の血糖値が測定された測定日時を取得する取得部と、
上記血糖値を上記測定日時に基づいて所定時間帯幅を持つ複数の時間帯区分に区分する区分部と、
上記測定日時に基づく測定日付と上記複数の時間帯区分とを軸として上記血糖値を一覧表示し、そのなかから特定の血糖値が選択されると、当該特定の血糖値の時間帯区分を前後に移動させるための前ボタン及び後ボタンが設けられたポップアップメニューを表示部に対して表示させる表示制御部と、
上記前ボタンが選択されると、上記特定の血糖値を隣接する前の時間帯区分に変更し、上記後ボタンが選択されると、上記特定の血糖値を隣接する後の時間帯区分に変更する変更部と
を具える血糖値情報処理装置。
【請求項２】
上記表示制御部は、上記血糖値を一覧表示させる際、上記測定日時に基づく測定時刻を上記血糖値と共に一覧表示させ、
上記変更部は、
上記特定の血糖値の上記時間帯区分を変更する際、上記測定時刻を変更することなく上記時間帯区分だけを変更する
ことを特徴とする請求項１に記載の血糖値情報処理装置。
【請求項３】
上記表示制御部は、
上記ポップアップメニューに、上記前修正ボタン及び上記後修正ボタンに加えて上記特定の血糖値の上記測定日付及び上記測定時刻を表示させ、
上記変更部は、
所定の変更操作に応じて、上記測定日付及び上記測定時刻を変更する
ことを特徴とする請求項１に記載の血糖値情報処理装置。
【請求項４】
上記表示制御部は、
上記ポップアップメニューを上記特定の血糖値の直下に表示させる
ことを特徴とする請求項２または３に記載の血糖値情報処理装置。
【請求項５】
外部の血糖値測定装置により測定された単数又は複数の血糖値及び当該単数又は複数の血糖値が測定された測定日時を取得する取得ステップと、
上記血糖値を上記測定日時に基づいて所定時間帯幅を持つ複数の時間帯区分に区分する区分ステップと、
上記測定日時に基づく測定日付と上記複数の時間帯区分とを軸として上記血糖値を一覧表示し、そのなかから特定の血糖値が選択されると、当該特定の血糖値の時間帯区分を前後に移動させるための前ボタン及び後ボタンが設けられたポップアップメニューを表示部に対して表示させる表示制御ステップと、
上記前ボタンが選択されると、上記特定の血糖値を隣接する前の時間帯区分に変更し、上記後ボタンが選択されると、上記特定の血糖値を隣接する後の時間帯区分に変更する変更ステップと
を具える血糖値情報処理方法。
【請求項６】
コンピュータに
外部の血糖値測定装置により測定された単数又は複数の血糖値及び当該単数又は複数の血糖値が測定された測定日時を取得する取得ステップと、
上記血糖値を上記測定日時に基づいて所定時間帯幅を持つ複数の時間帯区分に区分する区分ステップと、
上記測定日時に基づく測定日付と上記複数の時間帯区分とを軸として上記血糖値を一覧表示し、そのなかから特定の血糖値が選択されると、当該特定の血糖値の時間帯区分を前後に移動させるための前ボタン及び後ボタンが設けられたポップアップメニューを表示部に対して表示させる表示制御ステップと、
上記前ボタンが選択されると、上記特定の血糖値を隣接する前の時間帯区分に変更し、上記後ボタンが選択されると、上記特定の血糖値を隣接する後の時間帯区分に変更する変更ステップと
を実行させる血糖値情報処理プログラム。
【発明の詳細な説明】
【技術分野】
【０００１】
本発明は、血糖値情報処理装置、血糖値情報処理方法及び血糖値情報処理プログラムに関し、例えば外部の血糖値測定器で定期的に測定された血糖値の推移をグラフ化して提供する場合に適用して好適なものである。
【背景技術】
【０００２】
現在、糖尿病患者は全国で約６００万人ともいわれ、その内、通院患者は約２００万人であり、残りは潜在患者であると報告されている。このような糖尿病患者に対する療法としては、食事療法、運動療法、薬物療法、インスリン療法等があり、どの療法が施される場合においても、患者ごとの日々の血糖値管理が極めて重要である。
【０００３】
しかしながら患者は、血糖値測定器を使用して自身の血糖値を定期的に測定している場合であっても、血糖値の時間的な推移や、血糖値の最大値、最小値、平均値等の血糖値情報を把握するのは容易ではない。特に多くの患者は、測定された血糖値の変化に一喜一憂するのみで、それが自分の生活習慣、食事量や時間帯等とどのように関連しているかを正確に理解できているとは限らない。
【０００４】
また、糖尿病専門の医師が全国に約１万人いるのに対し、糖尿病患者は上述したように約６００万人であり、一人の医者が６００人の患者を診なければならず、更に今後、糖尿病患者が増える傾向であることを考えると、患者自身が定期的に測定している血糖値を容易に管理し、またその血糖値の時間的な推移や血糖値情報を医師が容易に扱え、かつ適切に診断できるような血糖値情報処理装置が望まれている。
【０００５】
このような血糖値情報処理装置のなかには、血糖値測定器により測定された血糖値と当該血糖値が測定された測定日時とを取得し、当該測定日時に基づいて「朝食前」、「朝食後」、「昼食前」、「昼食後」、「夕食前」、「夕食後」、「就寝前」及び「深夜」等の時間帯区分のいずれかに当該血糖値を区分するようになされたものがある（例えば、特許文献１参照）。
【０００６】
これにより、この血糖値情報処理装置は、血糖値及び当該血糖値に基づく血糖値情報を時間帯区分ごとに統計的に医師等に提供することができると共に、血糖値及び当該血糖値に基づく血糖値情報を測定日時に基づく時系列に沿ってグラフ表示することにより、その傾向を容易に把握させることができる。
【特許文献１】特開２０００−６０８０３公報
【発明の開示】
【発明が解決しようとする課題】
【０００７】
ところで上述した血糖値情報処理装置においては、上述したいずれかの時間帯区分に血糖値を区分する際、測定日時に基づいて区分するので、実際の食事時間が設定された時間と異なる場合、その血糖値を適切に区分することができず、従って時間帯区分ごとの正確な血糖値及び血糖値情報を提供することができないという問題があった。
【０００８】
本発明は以上の点を考慮してなされたもので、時間帯区分ごとの正確な血糖値及び血糖値情報を提供し得る血糖値情報処理装置、血糖値情報処理方法及び血糖値情報処理プログラムを提案しようとするものである。
【課題を解決するための手段】
【０００９】
かかる課題を解決するため本発明においては、外部の血糖値測定装置により測定された単数又は複数の血糖値及び当該単数又は複数の血糖値が測定された測定日時を取得し、血糖値を測定日時に基づいて所定時間帯幅を持つ複数の時間帯区分に区分し、測定日時に基づく測定日付と複数の時間帯区分とを軸として血糖値を一覧表示し、そのなかから特定の血糖値が選択されると、当該特定の血糖値の時間帯区分を前後に移動させるための前ボタン及び後ボタンが設けられたポップアップメニューを表示部に対して表示させ、前ボタンが選択されると、特定の血糖値を隣接する前の時間帯区分に変更し、後ボタンが選択されると、特定の血糖値を隣接する後の時間帯区分に変更するようにした。
【００１０】
これにより、一覧表示した血糖値の中から任意の血糖値を選択させるとポップアップメニューを表示し、当該ポップアップメニューの前ボタン又は後ボタンを選択させるだけで任意の血糖値の時間帯区分を変更することができる。
【発明の効果】
【００１１】
本発明によれば、一覧表示した血糖値の中から任意の血糖値を選択させるとポップアップメニューを表示し、当該ポップアップメニューの前ボタン又は後ボタンを選択させるだけで任意の血糖値の時間帯区分を変更することができ、かくして従来と比してより正確な血糖値及び血糖値情報を提供することができる。
【発明を実施するための最良の形態】
【００１２】
以下に、図面について、本発明の一実施の形態を詳述する。
【００１３】
（１）血糖値情報処理システムの構成
図１に示すように、１は全体として本発明の一実施の形態としての血糖値情報処理システムを示し、血糖値情報処理装置２、プリンタ３、及び血糖値測定ユニット４が設けられている。
【００１４】
血糖値情報処理装置２は、例えばパーソナルコンピュータでなり、例えばＵＳＢ（Universal Serial Bus）ケーブルを介してプリンタ３と接続され、またＲＳ２３２Ｃケーブルにより接続された光通信モジュール（図示せず）を介して血糖値測定ユニット４と光通信し得るようになされている。
【００１５】
血糖値測定ユニット４は、患者により血糖値を測定させる血糖値測定器５と、血糖値情報処理装置２及びプリンタ３と通信する通信モジュール６とが設けられている。
【００１６】
血糖値測定器５は、その先端に設けられた取り替え式の測定用チップ７により患者の血液を採取し、当該採取した血液と測定用チップ７に封入された試薬とを反応させ、その反応させた血液の色を光学的に読み取ることにより血液に含まれるグルコース濃度を測定し、その結果として血糖値を得る。
【００１７】
また血糖値測定器５は、その内部に時計機能を有し、例えば初期設定時にユーザにより入力された日付及び時刻を基に時間をカウントするようになされており、測定した血糖値を測定日時と共に測定データとして自身の内部に設けられた例えば不揮発性メモリに記憶する。
【００１８】
ここで血糖値は、食事の前後、時間帯及び生活習慣などにより変化するので、その変化を把握するために、患者は、例えば朝食前、朝食後、昼食前、昼食後、夕食前、夕食後、就寝前及び深夜と１日に複数回の血糖値測定を血糖値測定器５を用いて行う。
【００１９】
そこで血糖値測定器５は、例えば１５０件分の測定データを記憶し得るようになされているため、例えば患者が１日４回測定する場合、約３６日分の測定データを記憶し得るようになされている。
【００２０】
ところで血糖値測定器５は、通信モジュール６の光通信送受信部９Ａと対向する位置に光通信送受信部（図示せず）が設けられており、当該通信モジュール６と光通信し得るようになされている。
【００２１】
通信モジュール６は、血糖値測定器５が載置された状態で、光通信ボタン８Ａがユーザによって押下操作されると、血糖値測定器５のメモリに記憶された測定データを光通信送受信部を介して当該血糖値測定器５に送信させ、光通信送受信部９Ａを介して測定データを光通信により受信するようになされている。
【００２２】
そして通信モジュール６は、血糖値測定器５から受信した測定データを光通信送受信部９Ｂを介して血糖値情報処理装置２へ送信する。
【００２３】
また通信モジュール６は、血糖値測定器５が載置された状態で、印刷ボタン８Ｂがユーザによって押下操作されると、光通信ボタン８Ａが押下操作された場合と同様に、血糖値測定器５から測定データを受信する。
【００２４】
そして通信モジュール６は、所定のケーブル（図示せず）を介して接続されたプリンタ３に測定データを送信することにより、プリンタ３によって測定データの血糖値及び測定日時をその測定日時が古い順に印刷し得るようになされている。
【００２５】
（２）血糖値情報処理装置の回路構成
血糖値情報処理装置２は、図２に示すように、ＣＰＵ（Central Processing Unit）１１、ＲＯＭ（Read Only Memory）１２、ＲＡＭ（Random Access Memory）１３、ハードディスクドライブ１４、ＬＣＤ（Liquid Crystal Display）等でなる表示部１５、マウス及びキーボード等でなる操作部１６、外部接続インターフェース部１７及び時間をカウントする時計部１８がバス１９を介して接続されている。
【００２６】
この血糖値情報処理装置２は、ＣＰＵ１１がＲＯＭ１２に格納された基本プログラムを読み出してＲＡＭ１３に展開し、当該基本プログラムに従って全体を統括制御すると共に、ＲＯＭ１２又はハードディスクドライブ１４に格納された各種アプリケーションプログラムをＲＡＭ１３に展開し、当該各種アプリケーションプログラムに従って各種処理を実行するようになされている。
【００２７】
血糖値情報処理装置２は、外部接続インターフェース１７に接続されたＲＳ２３２Ｃケーブルを介して光通信モジュール（図示せず）と接続され、また当該外部接続インターフェース１７に接続されたＵＳＢケーブルを介してプリンタ３（図１）と接続されている。
【００２８】
従って血糖値情報処理装置２は、通信モジュール６の光通信ボタン８Ａがユーザによって押下操作され、血糖値測定器５から測定データが通信モジュール６を介して送信されると、外部接続インターフェース１７を介して受信し、ハードディスクドライブ１４に保存するようになされている。
【００２９】
このとき血糖値情報処理装置２は、多数の血糖値測定器５から測定データを受信することが想定されているため、例えばハードディスクドライブ１４に設けられた患者名にそれぞれ対応付けられたフォルダに測定データを記憶するようになされている。
【００３０】
（３）血糖値情報処理
ＣＰＵ１１は、ユーザ（この場合、例えば医師）の操作部１６に対する操作に応じて、血糖値情報処理プログラムが選択されると、当該血糖値情報処理プログラムをハードディスクドライブ１４から読み出してＲＡＭ１３に展開し、血糖値情報処理プログラムに従って血糖値情報処理を実行する。
【００３１】
ＣＰＵ１１は、血糖値情報処理を実行すると、図３に示すように、スタート画面２０を表示部１５に表示する。スタート画面２０は、例えば２種類の異なるタイプの血糖値測定器５から測定データを送信させる送信方法を案内する血糖値測定器送信案内イラスト２１及び２２と、医師にログインさせるログインボタン２３とが表示されている。
【００３２】
ＣＰＵ１１は、医師の操作部１６に対する操作によりスタート画面２０のログインボタン２３が例えばカーソル（図示せず）によって選択されると、図４に示すように、医師に対してログインを要求するログイン画面３０を表示部１５に表示する。このログイン画面３０は、利用者名及びパスワードを入力させる利用者名入力欄３１及びパスワード入力欄３２と、ログインを行わせるログインボタン３３と、ログインを中止させるキャンセルボタン３４とが表示されている。
【００３３】
ＣＰＵ１１は、医師の操作部１６に対する操作によりログイン画面３０の利用者名入力欄３１及びパスワード入力欄３２に利用者名及びパスワードが入力されてログインボタン３３が選択されると、予め登録された利用者名及びパスワードと一致するか否かを判断し、一致した場合、図５に示すように、患者検索画面４０を表示部１５に表示する。
【００３４】
患者検索画面４０は、例えばハードディスクドライブ１４に予め登録された患者データベースから特定の患者を検索させるモード（以下、これを検索モードと呼ぶ）を選択させる患者検索ボタン４１と、患者データベースに新規の患者を登録させるモード（以下、これを登録モードと呼ぶ）を選択させる患者登録ボタン４２と、モード別表示領域４３とが設けられている。この患者データベースには、患者の氏名、カナ、性別及び患者ＩＤ等がそれぞれ関連付けられて登録されている。
【００３５】
ＣＰＵ１１は、患者検索画面４０を表示部１５に表示する際、デフォルトとして患者検索アイコン４１が選択されており、患者氏名及び患者ＩＤを入力させる患者氏名入力欄４４及び患者ＩＤ入力欄４５と、検索を実行する検索ボタン４６と、検索結果をリスト表示する患者リスト表示欄４７と、印刷ボタン４８と、グラフ表示ボタン４９とをモード別表示領域４３に表示する。
【００３６】
そしてＣＰＵ１１は、医師の操作部１６に対する操作により患者氏名入力欄４４及び患者ＩＤ入力欄４５に患者氏名及び患者ＩＤの少なくとも一方が入力されて検索ボタン４６が選択される。
【００３７】
このときＣＰＵ１１は、ハードディスクドライブ１４に保存された患者データベースから患者氏名入力欄４４及び患者ＩＤ入力欄４５に入力された患者氏名及び患者ＩＤを検索し、一致した患者氏名又は患者ＩＤを検出した場合、図６に示すように、患者データベースから一致した患者の氏名、カナ、性別及び患者ＩＤを読み出して患者項目４７ａとして患者リスト表示欄４７に表示する。
【００３８】
ＣＰＵ１１は、患者リスト表示欄４７に患者項目４７ａを表示している状態で、印刷ボタン４８が医師の操作部１６に対する操作に応じて選択されると、当該患者リスト表示欄４７を外部接続インターフェース部１７を介してプリンタ３（図１）に印刷させるようになされている。
【００３９】
因みにＣＰＵ１１は、患者検索画面４０の患者登録アイコン４２が操作部１６を介して選択されると、登録モードを実行し、患者を新規に登録させ得るようになされている。
【００４０】
ところでＣＰＵ１１は、患者リスト表示欄４７の患者項目４７ａが操作部１６を介して選択された後、グラフボタン４９が選択されると、選択された患者項目４７ａの患者名に対応するフォルダに記憶された測定データをハードディスクドライブ１４から読み出す。
【００４１】
そしてＣＰＵ１１は、読み出した測定データの血糖値を、当該血糖値の測定日時と図７に示すような時間帯区分テーブル６０とを比較することにより、時間帯区分テーブル６０における時間帯区分のいずれかに区分する。
【００４２】
ここで時間帯区分テーブル６０では、例えば時間帯区分が「朝食前」、「朝食後」、「昼食前」、「昼食後」、「夕食前」、「夕食後」、「就寝前」及び「深夜」の８つに区分されている。
【００４３】
また時間帯区分リスト６０は、設定入力時刻を操作部１６を介して入力させておくことにより、時間帯区分「朝食前」が測定時刻「０３：００〜０７：００」に対応し、時間帯区分「朝食後」が測定時刻「７：００〜１０：００」に対応し、時間帯区分「昼食前」が測定時刻「１０：００〜１２：００」に対応し、時間帯区分「昼食後」が測定時刻「１２：００〜１５：００」に対応し、時間帯区分「夕食前」が測定時刻「１５：００〜１８：００」に対応し、時間帯区分「夕食後」が測定時刻「１８：００〜２１：００」に対応し、時間帯区分「就寝前」が測定時刻「２１：００〜２４：００」に対応し、時間帯区分「深夜」が測定時刻「２４：００〜０３：００」に対応する。
【００４４】
従ってＣＰＵ１１は、ハードディスクドライブ１４から読み出した測定データの測定日時に基づく測定時刻が例えば「０６：３０」であった場合には当該測定データの血糖値を時間帯区分「朝食前」に区分し、測定データの測定時刻が例えば「１４：２０」であった場合には当該測定データの血糖値を時間帯区分「昼食後」に区分するようになされている。
【００４５】
このようにしてＣＰＵ１１は、患者項目４７ａの患者名に対応するフォルダに記憶された測定データをハードディスクドライブ１４から読み出すと、読み出した全ての測定データの血糖値をいずれかの時間帯区分に区分する。
【００４６】
そしてＣＰＵ１１は、測定データの血糖値及び測定日時と区分した時間帯区分とを関連付けた血糖値データベースを生成し、当該血糖値データベースを例えばハードディスクドライブ１４の患者名に対応するフォルダに記憶した後、図８に示すようなグラフ表示画面７０を表示部１５に表示する。
【００４７】
このグラフ表示画面７０は、実行できるメニュー項目が表示されたメニューバー７１、患者情報等を表示する患者情報欄７２、スタンバイモードに移行するスタンバイボタン７３、ログオフするためのログオフボタン７４、グラフの種類を選択する複数のボタンを表示するグラフ種類選択ボタン表示領域７５、グラフタイプ選択ボタン表示領域７６、及びグラフを表示するグラフ表示領域７７とが設けられている。
【００４８】
患者情報欄７２には、選択されている患者の氏名及び患者ＩＤが患者氏名表示欄７２Ａ及び患者ＩＤ表示欄７２Ｂにそれぞれ表示され、当該患者ＩＤ表示欄７２Ｂの右側に患者詳細ボタン７２Ｃ、新規ボタン７２Ｄ及び検索ボタン７２Ｅが設けられている。
【００４９】
ＣＰＵ１１は、患者情報欄７２の患者詳細ボタン７２Ｃが操作部１６を介して選択されると、患者の詳細情報を表示する。
【００５０】
またＣＰＵ１１は、患者情報欄７２の新規ボタン７２Ｄが操作部１６を介して選択されると、新規の患者を登録させ得るようになされている。
【００５１】
さらにＣＰＵ１１は、患者情報欄７２の患者検索ボタン７２Ｅが操作部１６を介して選択されると、患者検索画面（図５）を表示し、再び患者を検索させ得るようになされている。
【００５２】
グラフ種類選択ボタン表示領域７５には、トレンドボタン７５Ａ、期間平均ボタン７５Ｂ、２４ｈトレンドボタン７５Ｃ、割合ボタン７５Ｄ、Ｍｙグラフボタン７５Ｅ及び血糖値ノートボタン７５Ｆが設けられ、いずれか１つが選択されるようになされており、デフォルトではトレンドボタン７５Ａが選択されている。
【００５３】
グラフタイプ選択ボタン表示領域７６には、グラフ種類選択ボタン表示領域７５のトレンドボタン７５Ａ、期間平均ボタン７５Ｂ、２４ｈトレンドボタン７５Ｃ、割合ボタン７５Ｄ及びＭｙグラフボタン７５Ｅにそれぞれ対応するグラフタイプを選択させるためのボタンが複数個表示されるようになされており、トレンドボタン７５Ａが選択されている場合には全時間ボタン７６Ａ及び時間帯別ボタン７６Ｂが表示される。因みにデフォルトでは全時間ボタン７６Ａが選択されている。
【００５４】
グラフ表示領域７７には、グラフ種類選択ボタン表示領域７５で選択されたボタン（トレンドボタン７５Ａ、期間平均ボタン７５Ｂ、２４ｈトレンドボタン７５Ｃ、割合ボタン７５Ｄ、Ｍｙグラフボタン７５Ｅ及び血糖値ノートボタン７５Ｆのいずれか）、及びグラフタイプ選択ボタン表示領域７６で選択されたボタン（この場合、全時間ボタン７６Ａ又は時間帯別ボタン７６Ｂ）に対応したグラフ及びそのグラフに関連した各種情報等が表示されるようになされている。
【００５５】
このグラフ表示領域７７には、トレンドボタン７５Ａ及び全時間ボタン７６Ａが選択されているとき、折れ線グラフ８１が表示されると共に、期間情報表示領域８２、血糖値情報表示領域８３、時間帯区分選択チェックボックス８４、凡例表示領域８５、比較ボタン８６及び印刷ボタン８７が設けられている。
【００５６】
ここで時間帯区分選択チェックボックス８４では、「朝前」が時間帯区分「朝食前」に対応し、「朝後」が時間帯区分「朝食後」に対応し、「昼前」が時間帯区分「昼食前」に対応し、「昼後」が時間帯区分「昼食後」に対応し、「夜前」が時間帯区分「夕食前」に対応し、「夜後」が時間帯区分「夕食後」に対応し、「寝前」が時間帯区分「就寝前」に対応し、「深夜」が時間帯区分「深夜」に対応する。
【００５７】
ＣＰＵ１１は、時計部１８から取得した現在の日付を基準として、期間情報表示領域８２の範囲選択メニュー８２Ａに表示された「１ヶ月」の範囲に対応する日付を開始日付表示欄８２Ｂ及び終了日付表示欄８２Ｃに表示する。この範囲選択メニュー８２Ａは、範囲を医師に選択させ得るようにプルダウンメニューでなり、例えば「１ヶ月」、「２ヶ月」、「３ヶ月」及び「６ヶ月」を選択させ得るようになされており、デフォルトとして「１ヶ月」を選択表示している。
【００５８】
これと共にＣＰＵ１１は、ハードディスクドライブ１４から患者氏名表示欄７２Ａに表示された患者氏名に対応する血糖値データベースを読み出し、測定日時に基づいて開始日付表示欄８２Ｂ及び終了日付表示欄８２Ｃに表示された開始日付から終了日付までの範囲で、かつ時間帯区分選択チェックボックス８４にチェックされた時間帯区分（この場合、「朝食前」、「朝食後」、［夕食後］及び「深夜」）の血糖値だけを血糖値データベースから抽出する。
【００５９】
そしてＣＰＵ１１は、抽出した血糖値を時系列に沿って時間帯区分ごとのシンボルでプロットし、互いに前後するシンボル同士を直線で結ぶようにして折れ線グラフ８１を生成する。
【００６０】
ここで折れ線グラフ８１は、横軸が日付とされ、縦軸が血糖値（ｍｇ／ｄｌ）とされる。また折れ線グラフ８１は、血糖値に応じて複数の領域に分割されており、例えば、血糖値が０〜５９［ｍｇ／ｄｌ］の低血糖とされる領域を例えば緑色の低血糖領域８１Ａ、血糖値が６０〜１０９［ｍｇ／ｄｌ］の正常とされる領域を例えば白色の正常領域８１Ｂ、血糖値が１１０〜１２５［ｍｇ／ｄｌ］の正常と高血糖との間の領域を例えば黄色の擬陽性領域８１Ｃ、及び血糖値が１２６〜４００［ｍｇ／ｄｌ］の高血糖とされる領域を例えばピンク色の高血糖領域８１Ｄとする。
【００６１】
また折れ線グラフ８１では、低血糖領域８１Ａ、正常領域８１Ｂ、擬陽性領域８１Ｃ及び高血糖領域８１Ｄのそれぞれの境界付近の配色を一方の色から他方の色へ徐々に変化させる所謂グラデーション表示になされている。
【００６２】
さらに折れ線グラフ８１では、プロットされた血糖値が凡例表示領域８５に示されているように０〜５９［ｍｇ／ｄｌ］及び１２６［ｍｇ／ｄｌ］以上であった場合、そのプロットされた血糖値のシンボルを強調表示させることにより、医師に容易に目視確認させ得るようになされている。
【００６３】
またＣＰＵ１１は、血糖値データベースから抽出した血糖値の平均値、標準偏差値、最大値、最小値及びデータ個数を算出し、当該平均値、標準偏差値、最大値、最小値及びデータ個数をそれぞれ血糖値情報表示領域８３の平均値表示欄８３Ａ、標準偏差値表示欄８３Ｂ、最大値表示欄８３Ｃ、最小値表示欄８３Ｄ及び測定回数表示欄８３Ｅに表示する。
【００６４】
ところで折れ線グラフ８１には、その下方に基準（この場合、基準日）を移動させるためのスライドバー８８が設けられている。
【００６５】
ＣＰＵ１１は、図９に示すように、スライドバー８８が操作部１６を介して移動操作された場合、基準日をスライドバー８８の移動量に応じて遡るようになされており、その遡った基準日までの１か月分の血糖値だけを再び血糖値データベースから抽出し、その血糖値を時系列に沿って時間帯区分ごとのシンボルで折れ線グラフ８１にプロットし直すようになされている。
【００６６】
このときＣＰＵ１１は、遡った基準日を終了日付表示欄８２Ｃに表示すると共に、開始日付表示欄８２Ｂに基準日より１ヶ月前の日付を表示する。またＣＰＵ１１は、血糖値データベースから抽出し直した血糖値の平均値、標準偏差値、最大値、最小値及びデータ個数を再度算出し、当該平均値、標準偏差値、最大値、最小値及びデータ個数をそれぞれ血糖値情報表示領域８３の平均値表示欄８３Ａ、標準偏差値表示欄８３Ｂ、最大値表示欄８３Ｃ、最小値表示欄８３Ｄ及び測定回数表示欄８３Ｅに表示する。
【００６７】
このようにして血糖値情報処理装置２は、スライドバー８８が移動操作されると、折れ線グラフ８１にプロットされる範囲を固定したまま、日付だけを変更し得るようになされている。
【００６８】
因みにＣＰＵ１１は、グラフ情報表示領域８２における範囲選択メニュー８２Ａの例えば「３ヶ月」が操作部１６を介して選択されると、折れ線グラフ８１の横軸を１か月分から３か月分に変更し、３か月分の血糖値を時系列に沿って時間帯区分ごとのシンボルで折れ線グラフ８１にプロットする。
【００６９】
ところでＣＰＵ１１は、グラフ表示画面７０の比較ボタン８６が操作部１６を介して選択されると、図８との対応部分に同一符号を付した図１０に示すように、グラフ表示領域７７に期間情報表示領域８２、血糖値情報表示領域８３、時間帯区分選択チェックボックス８４、凡例表示領域８５、折れ線グラフ８１を縦方向に縮小した折れ線グラフ９１、折れ線グラフ９２、比較期間情報表示領域９３、比較血糖値情報表示領域９４、比較解除ボタン９５及び印刷ボタン８７が設けられたグラフ表示画面９０を表示部１５に表示するようになされている。
【００７０】
具体的には、ＣＰＵ１１は、比較期間表示領域９３の期間選択メニュー９３Ａに範囲選択メニュー８２Ａと同一である「１ヶ月」を表示し、開始日付表示欄８２Ｂに表示された開始日付の直前の「１ヶ月」の範囲に相当する比較開始日付及び比較終了日付をそれぞれ比較開始日付表示欄９３Ｂ及び比較終了日付表示欄９３Ｃに表示する。
【００７１】
またＣＰＵ１１は、ハードディスクドライブ１４から読み出した血糖値データベースから、測定日時に基づいて比較開始日付表示欄９３Ｂ及び比較終了日付表示欄９３Ｃに表示された比較開始日付から比較終了日付までの血糖値を抽出し、さらに時間帯区分選択チェックボックス８４にチェックされた時間帯区分（この場合、「朝食前」、「朝食後」、［夕食後］及び「深夜」）の血糖値だけを時系列に沿って時間帯区分ごとのシンボルでプロットし、互いに前後するシンボル同士を直線で結ぶようにして折れ線グラフ９２を生成する。
【００７２】
そしてＣＰＵ１１は、折れ線グラフ９１及び９２を上下に並べるようにしてグラフ表示領域７７に表示するようになされている。
【００７３】
またＣＰＵ１１は、折れ線グラフ９２にプロットした血糖値の平均値、標準偏差値、最大値、最小値及びデータ個数を算出し、当該平均値、標準偏差値、最大値、最小値及びデータ個数をそれぞれ比較グラフ情報表示領域９４の平均値表示欄９４Ａ、標準偏差値表示欄９４Ｂ、最大値表示欄９４Ｃ、最小値表示欄９４Ｄ及び測定回数表示欄９４Ｅに表示する。
【００７４】
またＣＰＵ１１は、折れ線グラフ９１の下方に設けられたスライドバー９６が操作部１６を介して移動操作された場合、基準日をスライドバー９６の移動量に応じて遡るようになされており、その遡った基準日までの１か月分の血糖値だけを時系列に沿って時間帯区分ごとのシンボルで折れ線グラフ９１にプロットし直すと共に、折れ線グラフ９２についても全時間折れ線グラフ９１と同様の日数分だけ遡るようにしてプロットし直すようになされている。
【００７５】
さらにＣＰＵ１１は、折れ線グラフ９２の下方に設けられたスライドバー９７が操作部１６を介して移動操作された場合でも、基準日をスライドバー９７の移動量に応じて遡るようになされており、その遡った基準日までの１か月分の血糖値だけを時系列に沿って時間帯区分ごとのシンボルで折れ線グラフ９２にプロットし直すと共に、折れ線グラフ９１についても折れ線グラフ９２と同様の日数分だけ遡るようにしてプロットし直すようになされている。
【００７６】
またＣＰＵ１１は、グラフ表示画面９０の比較解除ボタン９５が操作部１６を介して選択操作されると、グラフ表示画面７０（図８）を再び表示部１５に表示するようになされている。
【００７７】
ところでＣＰＵ１１は、例えばグラフ表示画面７０（図８）におけるグラフタイプ選択ボタン表示領域７６の時間帯別ボタン７６Ｂが操作部１６を介して選択操作されると、図８との対応部分に同一符号を付した図１１に示すように、グラフ表示領域７７に折れ線グラフ１０１が表示されたグラフ表示画面１００を表示部１５に表示する。
【００７８】
このときＣＰＵ１１は、ハードディスクドライブ１４から読み出した血糖値データベースから、測定日時に基づいて開始日付表示欄８２Ｂ及び終了日付表示欄８２Ｃに表示された開始日付から終了日付までの血糖値を抽出し、さらに時間帯区分選択チェックボックス８４にチェックされた時間帯区分（この場合、「朝食前」、「朝食後」、「夕食後」及び「深夜」）の血糖値だけを時間帯区分のシンボル毎に直線で結ぶようにしてプロットしてグラフ表示画面１００を生成する。
【００７９】
またＣＰＵ１１は、折れ線グラフ１０１の下方に設けられたスライドバー８８が医師の操作部１６を介して移動操作された場合、基準日をスライドバー８８の移動量に応じて遡るようになされており、その遡った基準日までの１か月分の血糖値だけを時間帯区分のシンボル毎に直線で結ぶようにして折れ線グラフ１０１上にプロットし直すようになされている。
【００８０】
さらにＣＰＵ１１は、グラフ表示画面１００の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に折れ線グラフ１０１を縦方向に縮小表示すると共に、折れ線グラフ１０１と同一の範囲でかつ直前の期間の折れ線グラフ（図示せず）を当該グラフ表示領域７７の下側に表示する。
【００８１】
ところでＣＰＵ１１は、例えばグラフ表示画面７０（図８）におけるグラフ種類選択ボタン表示領域７５の期間平均ボタン７５Ｂが操作部１６を介して選択操作されると、図８との対応部分に同一符号を付した図１２に示すように、グラフ表示画面１１０を表示部１５に表示する。
【００８２】
このグラフ表示画面１１０では、グラフタイプ選択ボタン表示領域７６に月平均ボタン７６Ｃ及び週平均ボタン７６Ｄが表示され、グラフ表示領域７７に期間情報表示領域８２、血糖値情報表示領域８３、時間帯区分選択チェックボックス８４、凡例表示領域８５、平均グラフ１１１、血糖値情報テーブル１１２及び付加チェックボックス欄１１３が設けられている。この場合、範囲選択メニュー８２Ａは、例えば「１２ヶ月」、「２４ヶ月」及び「３６ヶ月」を選択させるようになされており、デフォルトとして「１２ヶ月」を選択表示している。
【００８３】
ＣＰＵ１１は、グラフ表示画面１１０を表示部１５に表示する際、開始日付表示欄８２Ｂ及び終了日付表示欄８２Ｃに表示された期間でかつ時間帯区分選択チェックボックス８４にチェックされた時間帯区分（この場合、「朝食前」、「朝食後」、「夕食後」及び「深夜」）の血糖値を血糖値ベータベースから測定日時を基に月ごとに抽出する。
【００８４】
そしてＣＰＵ１１は、抽出した月ごとの血糖値の平均値、標準偏差値、最大値、最小値、データ数、低血糖（０〜５９［ｍｇ／ｄｌ］）の回数をそれぞれ算出する。
【００８５】
またＣＰＵ１１は、算出した１２か月分の平均値及び標準偏差値をそれぞれ横線及び縦バーにより示した平均グラフ１１１をグラフ表示領域７７に表示すると共に、算出した月ごとの血糖値の平均値、標準偏差値（ＳＤ）、最大値、最小値、データ数（Ｎ数）、低血糖の回数を血糖値情報テーブル１１２に表示する。
【００８６】
因みにＣＰＵ１１は、グラフ表示画面１１０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ１１１を縦方向に縮小表示すると共に、平均グラフ１１１と同一の範囲でかつ直前の期間の平均グラフ（図示せず）を当該グラフ表示領域７７の下側に表示する。
【００８７】
ＣＰＵ１１は、グラフ表示画面１１０における付加チェックボックス欄１１３のＳＤ折れ線表示ボタンチェックボックスＡが操作部１６を介して選択操作されると、図１２との対応部分に同一符号を付した図１３に示すように、平均グラフ１１１を縦方向に縮小した平均グラフ１２１と血糖値情報テーブル１１２との間に月ごとの標準偏差値を直線で結んだ標準偏差折れ線グラフ１２２が表示されたグラフ表示画面１２０を表示する。
【００８８】
またＣＰＵ１１は、グラフ表示画面１１０における付加チェックボックス欄１１３の参考検査値チェックボックス１１３Ｂが操作部１６を介して選択操作されると、例えば予め患者データベース等に登録された月ごとのＨｂＡ１ｃ値などを折れ線グラフとして表示し得るようになされている。
【００８９】
因みにＣＰＵ１１は、グラフ表示画面１２０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ１１１及び標準偏差折れ線グラフ１２２を縦方向に縮小表示すると共に、平均グラフ１１１及び標準偏差折れ線グラフ１２２と同一の範囲でかつ直前の期間の平均グラフ及び標準偏差折れ線グラフ（図示せず）を当該グラフ表示領域７７の下側に表示する。
【００９０】
一方、ＣＰＵ１１は、グラフ表示画面１１０（図１２）におけるグラフタイプ選択ボタン表示領域７６の週平均ボタン７６Ｄが操作部１６を介して選択操作されると、図１２との対応部分に同一符号を付した図１４に示すようなグラフ表示画面１３０を表示部１５に表示する。
【００９１】
この場合、グラフ表示画面１３０では、範囲選択メニュー８２Ａが例えば「１２週間」、「２４週間」及び「３６週間」を選択させ得るようになされており、デフォルトとして「１２週間」を選択表示している。
【００９２】
ＣＰＵ１１は、グラフ表示画面１３０を表示部１５に表示する際、開始日付表示欄８２Ｂ及び終了日付表示欄８２Ｃに表示された期間でかつ時間帯区分選択チェックボックス８４にチェックされた時間帯区分（この場合、「朝食前」、「朝食後」、「夕食後」及び「深夜」）の血糖値を血糖値ベータベースから測定日時を基に週ごとに抽出する。
【００９３】
そしてＣＰＵ１１は、抽出した週ごとの血糖値の平均値、標準偏差値、最大値、最小値、データ数、低血糖（０〜５９［ｍｇ／ｄｌ］）の回数をそれぞれ算出する。
【００９４】
またＣＰＵ１１は、算出した１２週間分の平均値及び標準偏差値をそれぞれ横線及び縦バーにより示した平均グラフ１３１をグラフ表示領域７７に表示すると共に、算出した週ごとの血糖値の平均値、標準偏差値、最大値、最小値、データ数、低血糖の回数を血糖値情報テーブル１３２に表示する。
【００９５】
因みにＣＰＵ１１は、グラフ表示画面１３０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ１３１を縦方向に縮小表示すると共に、平均グラフ１３１と同一の範囲でかつ直前の期間の平均グラフ（図示せず）を当該グラフ表示領域７７の下側に表示する。
【００９６】
ＣＰＵ１１は、グラフ表示画面１３０における付加チェックボックス欄１１３のＳＤ折れ線表示チェックボックス１１３Ａが操作部１６を介して選択操作されると、図１４との対応部分に同一符号を付した図１５に示すように、平均グラフ１３１を縦方向に縮小した平均グラフ１４１と血糖値情報テーブル１３２との間に週ごとの標準偏差値を直線で結んだ標準偏差折れ線グラフ１４２が表示されたグラフ表示画面１４０を表示する。
【００９７】
因みにＣＰＵ１１は、グラフ表示画面１４０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ１４１及び標準偏差折れ線グラフ１４２を縦方向に縮小表示すると共に、平均グラフ１４１及び標準偏差折れ線グラフ１４２と同一の範囲でかつ直前の期間の平均グラフ及び標準偏差折れ線グラフ（図示せず）を当該グラフ表示領域７７の下側に表示する。
【００９８】
ところでＣＰＵ１１は、例えばグラフ表示画面７０（図８）におけるグラフ種類選択ボタン表示領域７５の２４ｈトレンドボタン７５Ｃが操作部１６を介して選択操作されると、図８との対応部分に同一符号を付した図１６に示すように、グラフ表示画面１５０を表示部１５に表示する。
【００９９】
このグラフ表示画面１５０では、グラフタイプ選択ボタン表示領域７６に全時間ボタン７６Ａ及び時間帯別ボタン７６Ｂが表示され、グラフ表示領域７７に期間情報表示領域８２、血糖値情報表示領域８３、凡例表示領域８５、比較ボタン８６、印刷ボタン８７、平均グラフ１５１、血糖値情報テーブル１５２、チェックボックス欄１５３が設けられている。
【０１００】
このグラフ表示画面１５０では、範囲選択メニュー８２Ａが例えば「１ヶ月」、「２ヶ月」、「３ヶ月」及び「６ヶ月」を選択させ得るようになされており、デフォルトとして「１ヶ月」を選択表示している。
【０１０１】
またチェックボックス欄１５３には、ＳＤ棒表示チェックボックス１５３Ａ、平均値チェックボックス１５３Ｂ及びプロットチェックボックス１５３Ｃが設けられており、デフォルトとして平均値チェックボックス１５３Ｂがチェックされている。
【０１０２】
ＣＰＵ１１は、グラフ表示画面１５０を表示部１５に表示する際、開始日付表示欄８２Ｂ及び終了日付表示欄８２Ｃに表示された期間の血糖値を血糖値ベータベースから測定日時を基に１時間ごとに抽出し、当該抽出した１時間ごとの血糖値の平均値、標準偏差値、最大値、最小値、データ数、低血糖の回数をそれぞれ算出する。
【０１０３】
そしてＣＰＵ１１は、算出した１時間ごとの平均値及び標準偏差値をそれぞれ横線及び縦バーにより示した平均グラフ１５１をグラフ表示領域７７に表示すると共に、算出した１時間ごとの血糖値の平均値、標準偏差値、最大値、最小値、データ数、低血糖の回数を血糖値情報テーブル１５２に表示する。
【０１０４】
因みにＣＰＵ１１は、グラフ表示画面１５０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ１５
１を縦方向に縮小表示すると共に、平均グラフ１５１と同一の範囲でかつ直前の期間の平均グラフ（図示せず）を当該グラフ表示領域７７の下側に表示する。
【０１０５】
一方、ＣＰＵ１１は、グラフ表示画面１５０におけるチェックボックス欄１５３のＳＤ棒表示チェックボックス１５３Ａが操作部１６を介して選択操作されると、図１６との対応部分に同一符号を付した図１７に示すように、平均グラフ１５１を縦方向に縮小した平均グラフ１６１と血糖値情報テーブル１５２との間に１時間ごとの標準偏差値を棒状に示した棒グラフ１６２が表示されたグラフ表示画面１６０を表示する。
【０１０６】
因みにＣＰＵ１１は、グラフ表示画面１６０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ１６１及び棒グラフ１６２を縦方向に縮小表示すると共に、平均グラフ１６１及び棒グラフ１６２と同一の範囲でかつ直前の期間の平均グラフ及び棒グラフ（図示せず）を当該グラフ表示領域７７の下側に表示する。
【０１０７】
ところでＣＰＵ１１は、グラフ表示画面１５０（図１６）におけるチェックボックス欄１５３のプロットチェックボックス１５３Ｃが操作部１６を介して選択操作されると、図１６との対応部分に同一符号を付した図１８に示すようなグラフ表示画面１７０を表示する。このときＣＰＵ１１は、チェックボックス欄１５３のプロットチェックボックス１５３Ｃにチェックを入れると共に、平均値チェックボックス１５３Ｂのチェックを外す。なお図１６及び図１８で用いられる血糖値が実際上は同一であるが、説明の便宜上、図１６及び図１８では異なる血糖値を用いており、図１６の平均グラフ１５１、図１８のプロットグラフ１７１、及び血糖値情報テーブル１５２の値はその一例に過ぎない。
【０１０８】
またＣＰＵ１１は、グラフ表示画面１７０のグラフ表示領域７７に、抽出した１ヶ月分の全ての血糖値を１時間ごとに区分してプロットしたプロットグラフ１７１を表示する。
【０１０９】
プロットグラフ１７１では、プロットされた血糖値が凡例表示領域８５に示されているように血糖値が０〜５９［ｍｇ／ｄｌ］及び１２６［ｍｇ／ｄｌ］以上であった場合、そのプロットされた血糖値のプロット点を強調表示することにより、医師に容易に目視確認させ得る。
【０１１０】
因みにＣＰＵ１１は、グラフ表示画面１７０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側にプロットグラフ１７１を縦方向に縮小表示すると共に、プロットグラフ１７１と同一の範囲でかつ直前の期間のプロットグラフ（図示せず）を当該グラフ表示領域７７の下側に表示する。
【０１１１】
一方、ＣＰＵ１１は、グラフ表示画面１７０におけるチェックボックス欄１５３のＳＤ棒表示チェックボックス１５３Ａが操作部１６を介して選択操作されると、図１７及び図１８との対応部分に同一符号を付した図１９に示すように、プロットグラフ１７１を縦方向に縮小したプロットグラフ１８１と血糖値情報テーブル１５２との間に１時間ごとの標準偏差値を棒状に示した棒グラフ１６２が表示されたグラフ表示画面１８０を表示する。
【０１１２】
因みにＣＰＵ１１は、グラフ表示画面１８０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側にプロットグラフ１８１及び棒グラフ１６２を縦方向に縮小表示すると共に、プロットグラフ１８１及び棒グラフ１６２と同一の範囲でかつ直前の期間のプロットグラフ及び棒グラフ（図示せず）を当該グラフ表示領域７７の下側に表示する。
【０１１３】
ところでＣＰＵ１１は、例えばグラフ表示画面１５０（図１６）におけるグラフタイプ選択ボタン表示領域７６の時間帯別ボタン７６Ｂが操作部１６を介して選択操作されると、図１６との対応部分に同一符号を付した図２０に示すようなグラフ表示画面１９０を表示部１５に表示する。
【０１１４】
ＣＰＵ１１は、グラフ表示画面１９０を表示部１５に表示する際、範囲選択メニュー８２Ａにデフォルトで表示された「１ヶ月」分に対応する開始日付表示欄８２Ｂ及び終了日付表示欄８２Ｃに表示された期間の血糖値を測定日時を基に時間帯区分ごとに血糖値ベータベースから抽出する。
【０１１５】
そしてＣＰＵ１１は、抽出した時間帯区分ごとの血糖値の平均値、標準偏差値、最大値、最小値、データ数、低血糖の回数をそれぞれ算出する。
【０１１６】
またＣＰＵ１１は、算出した時間帯区分ごとの平均値及び標準偏差値をそれぞれ横線及び縦バーにより示した平均グラフ１９１をグラフ表示領域７７に表示すると共に、算出した時間帯区分ごとの血糖値の平均値、標準偏差値、最大値、最小値、データ数、低血糖の回数を血糖値情報テーブル１９２に表示する。
【０１１７】
因みにＣＰＵ１１は、グラフ表示画面１９０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ１９１を縦方向に縮小表示すると共に、平均グラフ１９１と同一の範囲でかつ直前の期間の平均グラフ（図示せず）を当該グラフ表示領域７７の下側に表示する。
【０１１８】
ＣＰＵ１１は、グラフ表示画面１９０におけるチェックボックス欄１５３のＳＤ棒表示チェックボックス１５３Ａが操作部１６を介して選択操作されると、図２０との対応部分に同一符号を付した図２１に示すように、平均グラフ１９１を縦方向に縮小した平均グラフ２０１と血糖値情報テーブル１９２との間に時間帯区分ごとの標準偏差値を棒状に示した棒グラフ２０２が表示されたグラフ表示画面２００を表示する。
【０１１９】
因みにＣＰＵ１１は、グラフ表示画面２００の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に平均グラフ２０１及び棒グラフ２０２を縦方向に縮小表示すると共に、平均グラフ２０１及び棒グラフ２０２と同一の範囲でかつ直前の期間の平均グラフ及び棒グラフ（図示せず）を当該グラフ表示領域７７の下側に表示する。
【０１２０】
一方、ＣＰＵ１１は、グラフ表示画面１９０（図２０）におけるチェックボックス欄１５３のプロットチェックボックス１５３Ｃが操作部１６を介して選択操作されると、図２０との対応部分に同一符号を付した図２２に示すようなグラフ表示画面２１０を表示する。このときＣＰＵ１１は、チェックボックス欄１５３のプロットチェックボックス１５３Ｃにチェックを入れると共に、平均値チェックボックス１５３Ｂのチェックを外す。なお図２０及び図２２で用いられる血糖値が実際上は同一であるが、説明の便宜上、図２０及び図２２では異なる血糖値を用いており、図２０の平均グラフ１９１、図２２のプロットグラフ２１１、及び血糖値情報テーブル１９２の値はその一例に過ぎない。
【０１２１】
またＣＰＵ１１は、グラフ表示画面２１０のグラフ表示領域７７に、抽出した１ヶ月分の血糖値を時間帯区分ごとに区分してプロットしたプロットグラフ２１１を表示する。
【０１２２】
プロットグラフ２１１では、プロットされた血糖値が凡例表示領域８５に示されているように血糖値が０〜５９［ｍｇ／ｄｌ］及び１２６［ｍｇ／ｄｌ］以上であった場合、そのプロットされた血糖値のプ/ロット点を強調表示させることにより、医師に容易に目視確認させ得る。
【０１２３】
因みにＣＰＵ１１は、グラフ表示画面２１０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側にプロットグラフ２１１を縦方向に縮小表示すると共に、プロットグラフ２１１と同一の範囲でかつ直前の期間のプロットグラフ（図示せず）を当該グラフ表示領域７７の下側に表示する。
【０１２４】
ＣＰＵ１１は、グラフ表示画面２１０におけるチェックボックス欄１５３のＳＤ棒表示チェックボックス１５３Ａが操作部１６を介して選択操作されると、図２１及び図２２との対応部分に同一符号を付した図２３に示すように、プロットグラフ２１１を縦方向に縮小したプロットグラフ２２１と血糖値情報テーブル１９２との間に時間帯区分ごとの標準偏差値を棒状に示した棒グラフ２０２が表示されたグラフ表示画面２２０を表示する。
【０１２５】
因みにＣＰＵ１１は、グラフ表示画面２２０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側にプロットグラフ２２１及び棒グラフ２０２を縦方向に縮小表示すると共に、プロットグラフ２２１及び棒グラフ２０２と同一の範囲でかつ直前の期間のプロットグラフ及び棒グラフ（図示せず）を当該グラフ表示領域７７の下側に表示する。
【０１２６】
ところでＣＰＵ１１は、例えばグラフ表示画面７０（図８）におけるグラフ種類選択ボタン表示領域７５の割合ボタン７５Ｄが操作部１６を介して選択操作されると、図８との対応部分に同一符号を付した図２４に示すように、グラフ表示画面２３０を表示部１５に表示する。
【０１２７】
このグラフ表示画面２３０では、グラフタイプ選択ボタン表示領域７６に時間帯別円グラフボタン７６Ｅ、積上げ棒グラフ月ボタン７６Ｆ及び積上げ棒グラフ週ボタン７６Ｇが表示され、デフォルトとして時間帯別円グラフボタン７６Ｅが選択表示されている。この場合、グラフ表示画面２３０では、グラフ表示領域７７に２つの円グラフ２３１及び２３２が左右に並べられて表示される。
【０１２８】
また範囲選択メニュー８２Ａは、例えば「１ヶ月」、「２ヶ月」、「３ヶ月」及び「６ヶ月」を選択させるようになされており、デフォルトとして「１ヶ月」を選択表示している。
【０１２９】
ＣＰＵ１１は、グラフ表示画面２３０を表示部１５に表示する際、開始日付表示欄８２Ｂ及び終了日付表示欄８２Ｃに表示された期間でかつ時間帯区分選択チェックボックス２３３にチェックされた時間帯区分（この場合、「朝食前」、「昼食前」、「夕食前」及び「就寝前」）の血糖値を血糖値ベータベースから測定日時及び時間帯区分を基に抽出する。
【０１３０】
そしてＣＰＵ１１は、抽出した血糖値の平均値、標準偏差値、最大値、最小値及びデータ数をそれぞれ算出すると共に、抽出した血糖値のデータ数に対する血糖値が０〜５９、６０〜１０９、１１０〜１２５及び１２６以上となるデータ数の割合を算出する。
【０１３１】
またＣＰＵ１１は、算出した時間帯区分ごとの血糖値の平均値、標準偏差値、最大値、最小値、データ数を血糖値情報テーブル２３４に表示すると共に、算出した血糖値の割合を円グラフ２３１として表示する。
【０１３２】
またＣＰＵ１１は、開始日付表示欄８２Ｂ及び終了日付表示欄８２Ｃに表示された期間でかつ時間帯区分選択チェックボックス２３５にチェックされた時間帯区分（この場合、「朝食後」、「昼食後」、「夕食後」及び「深夜」）の血糖値を血糖値ベータベースから測定日時及び時間帯区分を基に抽出する。
【０１３３】
そしてＣＰＵ１１は、抽出した血糖値の平均値、標準偏差値、最大値、最小値及びデータ数をそれぞれ算出すると共に、抽出した血糖値のデータ数に対する血糖値が０〜５９、６０〜１０９、１１０〜１２５及び１２６以上となるデータ数の割合を算出する。
【０１３４】
またＣＰＵ１１は、算出した時間帯区分ごとの血糖値の平均値、標準偏差値、最大値、最小値、データ数を血糖値情報テーブル２３６に表示すると共に、算出した血糖値の割合を円グラフ２３２として表示する。
【０１３５】
因みにＣＰＵ１１は、グラフ表示画面２３０の比較ボタン８５が操作部１６を介して選択操作されると、上述したグラフ表示画面７０の比較ボタン８６が選択操作された際にグラフ表示画面９０を表示する場合と同様に、グラフ表示領域７７の上側に円グラフ２３１及び円グラフ２３２を縮小表示すると共に、当該グラフ表示領域７７の下側に縮小した円グラフ２３１及び円グラフ２３２と同一の範囲でかつ直前の期間の円グラフ（図示せず）をそれぞれ表示する。
【０１３６】
一方、ＣＰＵ１１は、グラフ表示画面２３０におけるグラフタイプ選択ボタン表示領域７６の積上げ棒グラフ月ボタン７６Ｆが操作部１６を介して選択操作されると、図２４との対応部分に同一符号を付した図２５に示すようなグラフ表示画面２４０を表示部１５に表示する。
【０１３７】
ＣＰＵ１１は、グラフ表示画面２４０を表示部１５に表示する際、開始日付表示欄８２Ｂ及び終了日付表示欄８２Ｃに表示された期間でかつ時間帯区分選択チェックボックス８４にチェックされた時間帯区分（この場合、「朝食前」、「朝食後」、「夕食後」及び「深夜」）の血糖値を血糖値ベータベースから測定日時及び時間帯区分を基に抽出する。
【０１３８】
そしてＣＰＵ１１は、抽出した血糖値の平均値、標準偏差値、最大値、最小値及びデータ数をそれぞれ算出すると共に、抽出した血糖値の月ごとのデータ数に対する血糖値が０〜５９、６０〜１０９、１１０〜１２５及び１２６以上となるデータ数の割合をそれぞれ算出する。
【０１３９】
そしてＣＰＵ１１は、算出した血糖値の平均値、標準偏差値、最大値、最小値、データ数を血糖値情報表示領域８３に表示すると共に、算出した月ごとの血糖値の割合を棒グラフ２４１として表示する。
【０１４０】
因みにＣＰＵ１１は、グラフ表示画面２４０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に棒グラフ２４１を縦方向に縮小表示すると共に、棒グラフ２４１と同一の範囲でかつ直前の期間の棒グラフ（図示せず）を当該グラフ表示領域７７の下側に表示する。
【０１４１】
一方、ＣＰＵ１１は、グラフ表示画面２３０（図２４）におけるグラフタイプ選択ボタン表示領域７６の積上げ棒グラフ週ボタン７６Ｇが操作部１６を介して選択操作されると、図２４との対応部分に同一符号を付した図２６に示すようなグラフ表示画面２５０を表示部１５に表示する。
【０１４２】
ＣＰＵ１１は、グラフ表示画面２５０を表示部１５に表示する際、範囲選択メニュー８２Ａにデフォルトで表示された「１２週間」分に対応する開始日付表示欄８２Ｂ及び終了日付表示欄８２Ｃに表示された期間でかつ時間帯区分選択チェックボックス８４にチェックされた時間帯区分（この場合、「朝食前」、「朝食後」、「夕食後」及び「深夜」）の血糖値を血糖値データベースから測定日時及び時間帯区分を基に抽出する。
【０１４３】
そしてＣＰＵ１１は、抽出した血糖値の平均値、標準偏差値、最大値、最小値及びデータ数をそれぞれ算出すると共に、抽出した血糖値の週ごとのデータ数に対する血糖値が０〜５９、６０〜１０９、１１０〜１２５及び１２６以上となるデータ数の割合をそれぞれ算出する。
【０１４４】
そしてＣＰＵ１１は、算出した血糖値の平均値、標準偏差値、最大値、最小値、データ数を血糖値情報表示領域８３に表示すると共に、算出した週ごとの血糖値の割合を棒グラフ２５１として表示する。
【０１４５】
因みにＣＰＵ１１は、グラフ表示画面２５０の比較ボタン８６が操作部１６を介して選択操作されると、上述したグラフ表示画面７０の比較ボタン８６が選択操作された際にグラフ表示画面９０を表示する場合と同様に、グラフ表示領域７７の上側に棒グラフ２５１を縦方向に縮小表示すると共に、棒グラフ２５１と同一の範囲でかつ直前の期間の棒グラフ（図示せず）を当該グラフ表示領域７７の下側に表示する。
【０１４６】
ところでＣＰＵ１１は、例えばグラフ表示画面７０（図８）におけるグラフ種類選択ボタン表示領域７５のＭｙグラフボタン７５Ｅが操作部１６を介して選択操作されると、図８との対応部分に同一符号を付した図２７に示すように、グラフ表示画面２６０を表示部１５に表示する。
【０１４７】
ここでグラフ表示画面２６０は、任意のグラフを表示し得るようになされており、例えば、図８における折れ線グラフ８１に相当する折れ線グラフ２６１、及び図１２における平均グラフ１１１に相当する平均グラフ２６２をグラフ表示領域７７に表示する。
【０１４８】
ＣＰＵ１１は、例えばグラフ表示画面７０（図８）におけるグラフ種類選択ボタン表示領域７５の血糖値ノートボタン７５Ｆが操作部１６を介して選択操作されると、図８との対応部分に同一符号を付した図２８に示すように、血糖値ベータベースに記録された血糖値が測定時刻と共に一覧表示された血糖値一覧表２７１を血糖値ノート表示画面２７０に表示する。
【０１４９】
すなわち血糖値一覧表２７１は、縦軸を日付とし、横軸を時間帯区分として血糖値が測定時刻と共にマトリクス状に配置されている。この血糖値一覧表２７１では、血糖値が０〜５９［ｍｇ／ｄｌ］であった場合、及び１２６［ｍｇ／ｄｌ］以上であった場合、当該血糖値を反転表示するようになされている。
【０１５０】
ところで血糖値は、血糖値測定器５（図１）によって患者自らが食前及び食後等に例えば自宅や会社等で測定する。また患者は、必ずしも設定された時間帯区分に従って食事を取れるとは限らない。そのためＣＰＵ１１は、血糖値測定器５によって測定された測定データの測定時刻に基づいて血糖値を該当する時間帯区分に区分する際、実際とは異なる時間帯区分に区分して血糖値データベースを生成してしまうことが考えられる。また血糖値測定器５は、例えば初期設定時に患者によって日付及び時刻が設定されているため、誤った日付及び時刻に設定されている場合も考えられる。
【０１５１】
そこで血糖値情報処理装置２では、ＣＰＵ１１によって生成された血糖値データベースを医師の判断により修正させ得るようになされている。
【０１５２】
具体的には、図２８の一部である血糖値一覧部分２７１Ａを表示した図２９（Ａ）に示すように、ＣＰＵ１１は、血糖値一覧表２７１の任意の血糖値がカーソルＣｕによって選択（クリック）されると、当該血糖値及び対応する測定時刻を選択枠ＦＲで囲み、任意の血糖値を選択したことを医師に目視確認させる。
【０１５３】
そしてＣＰＵ１１は、選択枠ＦＲで囲んだ血糖値が選択された状態で、操作部１６の例えばマウスがダブルクリックされて決定されたことを認識すると、図２９（Ｂ）に示すように、その血糖値及び測定時刻を反転表示すると共に、その血糖値の直下に時間帯区分変更ポップアップメニュー３００を血糖値一覧表２７１に重ねて表示する。
【０１５４】
この時間帯区分変更ポップアップメニュー３００には、決定された血糖値の測定日付を表示する測定日付表示欄３０１、当該血糖値の測定時刻を表示する測定時刻表示欄３０２、当該血糖値を表示する血糖値表示欄３０３、当該血糖値の時間帯区分を１つ前の時間帯区分に移動させるための左ボタン３０４、当該血糖値の時間帯区分を１つ後の時間帯区分に移動させるための右ボタン３０５、削除ボタン３０６、キャンセルボタン３０７及び確定ボタン３０８が設けられている。
【０１５５】
ＣＰＵ１１は、図２９（Ｃ）に示すように、時間帯区分変更ポップアップメニュー３００の左ボタン３０４がカーソルＣｕを介して選択されたことを認識すると、図２９（Ｄ）に示すように、選択している血糖値を左側の時間帯区分、すなわち１つ前の時間帯区分へ移動表示する。このときＣＰＵ１１は、時間帯区分を移動させた血糖値を選択枠ＦＲで囲んだ選択状態にしておくことにより、医師に時間帯区分を変更した血糖値を容易に発見させ得るようになされている。
【０１５６】
またＣＰＵ１１は、時間帯区分変更ポップアップメニュー３００の右ボタン３０５がカーソルＣｕを介して選択されたことを認識すると、選択している血糖値を右側の時間帯区分、すなわち１つ後の時間帯区分へ移動表示する。
【０１５７】
さらにＣＰＵ１１は、時間帯区分変更ポップアップメニュー３００のプルダウンメニューでなる測定日付表示欄３０１が操作部１６を介して変更された後、確定ボタン３０８が当該カーソルＣｕを介して選択されたことを認識すると、変更された測定日付へ選択されている血糖値を移動表示する。
【０１５８】
さらにＣＰＵ１１は、時間帯区分変更ポップアップメニュー３００の測定時刻表示欄３０２が例えば操作部１６のキーボードを介して入力操作された後、確定ボタン３０８が当該カーソルＣｕを介して選択されたことを認識すると、当該入力された測定時刻を基に時間帯区分を再区分し、その再区分された時間帯区分へ当該血糖値を移動表示する。
【０１５９】
このようにして血糖値情報処理装置２では、血糖値測定器５によって測定された血糖値の時間帯区分、測定日付及び測定時刻を、時間帯区分変更ポップアップメニュー３００に対する所定の操作を行わせることにより、変更させ得るようになされている。
【０１６０】
そして血糖値情報処理装置２は、保存ボタン２７２（図２８）が操作部１６を介して選択されると、変更された血糖値の時間帯区分、測定日付及び測定時刻を反映させるべく、変更された血糖値の時間帯区分、測定日付及び測定時刻に血糖値ベータベースを更新する。
【０１６１】
これにより血糖値情報処理装置２は、例えば医師の判断により血糖値を適切であると思われる時間帯区分、測定日付、測定時刻に容易に変更させられるので、当該変更された時間帯区分、測定日付、測定時刻を用いて上述した種々のグラフ表示を行うことができ、より適切な判断材料を医師に提供することができる。
【０１６２】
（４）動作及び効果
以上の構成において血糖値情報処理装置２は、血糖値測定器５により測定された血糖値及び当該血糖値が測定された測定日時からなる測定データを外部接続インターフェース部１７を介して取得し、当該測定データをハードディスクドライブ１４に患者ごとに記憶する。
【０１６３】
また血糖値情報処理装置２は、測定データの血糖値を、当該血糖値が測定された測定日時及び時間帯区分テーブル６０（図７）に基づいて複数の時間帯区分のいずれかに区分し、測定データの血糖値及び測定日時と分類した時間帯区分とを関連付けた血糖値データベースを生成する。
【０１６４】
そして血糖値情報処理装置２は、例えばグラフ表示画面７０（図８）においてグラフ種類選択ボタン表示領域７５の血糖値ノートボタン７５Ｆが操作部１６を介して選択操作されると、血糖値ベータベースに記録された血糖値が測定時刻と共に一覧表示された血糖値一覧表２７１を血糖値ノート表示画面２７０（図２８）に表示する。
【０１６５】
このとき血糖値情報処理装置２は、血糖値一覧表２７１の任意の血糖値が選択決定されたことを認識すると、その血糖値を反転表示すると共に、その血糖値の直下に時間帯区分変更ポップアップメニュー３００を表示し、左ボタン３０４又は右ボタン３０５が選択されると、選択している血糖値を１つ前又は１つ後の時間帯区分へ移動表示すると共に、当該血糖値を１つ前又は１つ後の時間帯区分に再区分し直すように血糖値ベータベースを更新する。
【０１６６】
従って血糖値情報処理装置２は、例えば医師の判断により血糖値を適切であると思われる時間帯区分に容易に変更させられるので、当該変更された時間帯区分を用いて上述した種々のグラフ表示を行うことができ、より適切な判断材料を医師に提供することができる。
【０１６７】
また血糖値情報処理装置２は、任意の血糖値の時間帯区分を変更する際に当該血糖値の測定時刻を変更することがないため、例えば１時間ごとの血糖値を用いたグラフ表示画面１５０、１６０、１７０及び１８０（図１６〜図１９）を表示する際、測定時刻を正確に反映したグラフ表示を行うことができる。
【０１６８】
さらに血糖値情報処理装置２は、任意の血糖値の測定日付及び測定時刻を時間帯区分変更ポップアップメニュー３００に対する操作に応じて変更することにより、血糖値測定器５が誤った時間に設定されている場合であっても、変更された測定日付及び測定時刻を用いて上述した種々のグラフ表示を行うことができる。
【０１６９】
また血糖値情報処理装置２は、例えばグラフ表示画面７０において例えば１か月分の血糖値を時系列に沿ってプロットした折れ線グラフ８１の下方にスライドバー８８を設け、当該スライドバー８８が平行移動されると、移動量に応じて遡った１か月分の血糖値だけを時系列に沿って折れ線グラフ８１にプロットするようにした。
【０１７０】
従って血糖値情報処理装置２は、折れ線グラフ８１にプロットされる血糖値の範囲を変更することなく、その期間だけをスライドバー８８の移動量に応じて変更することにより、折れ線グラフ８１にプロットする血糖値の期間を容易に変更させることができる。
【０１７１】
これにより血糖値情報処理装置２は、スライドバー８８を平行移動させるだけで、当該スライドバー８８の移動に応じて随時プロットする血糖値の期間を変更するので、医師に対して血糖値の推移をより連続的にかつ長期的に目視確認させることができる。
【０１７２】
また血糖値情報処理装置２は、スライドバー８８が平行移動されると、移動量に応じて遡った折れ線グラフ８１にプロットした血糖値の平均値、標準偏差値、最大値、最小値及びデータ個数を再度算出し、当該平均値、標準偏差値、最大値、最小値及びデータ個数をそれぞれ血糖値情報表示領域８３の平均値表示欄８３Ａ、標準偏差値表示欄８３Ｂ、最大値表示欄８３Ｃ、最小値表示欄８３Ｄ及び測定回数表示欄８３Ｅに表示するようにした。
【０１７３】
これにより血糖値情報処理装置２は、現在折れ線グラフ８１にプロットしている血糖値だけの平均値、標準偏差値、最大値、最小値及びデータ個数を、スライドバー８８の移動に応じて表示することができる。
【０１７４】
また血糖値情報処理装置２は、例えばグラフ表示画面７０の比較ボタン８６が選択操作されると、グラフ表示領域７７の上側に折れ線グラフ８１を縦方向に縮小表示すると共に、折れ線グラフ８１と同一の範囲でかつ直前の期間の折れ線グラフ９２を当該グラフ表示領域７７の下側に表示するようにした。
【０１７５】
従って血糖値情報処理装置２は、比較ボタン８６を選択させるという容易な操作を医師に行わせるだけで、同一範囲でかつ連続した２つの期間でなる例えば折れ線グラフを提供することができる。
【０１７６】
また血糖値情報処理装置２は、同一範囲でかつ連続した２つの期間でなる例えば折れ線グラフを表示することにより、連続した２つの期間での血糖値の遷移を比較させることができる。
【０１７７】
以上の構成によれば血糖値情報処理装置２は、血糖値測定器５により測定された血糖値及び当該血糖値が測定された測定日時を取得し、当該測定日時に基づいて血糖値を複数の時間帯区分に区分し、当該時間帯区分及び測定日付を軸とする血糖値一覧表２７１の任意の血糖値が選択決定されたことを認識すると時間帯区分変更ポップアップメニュー３００を表示し、左ボタン３０４又は右ボタン３０５が選択されると、選択している血糖値を１つ前又は１つ後の時間帯区分へ移動させることにより、従来と比してより正確な時間帯区分の血糖値及び血糖値情報を提供することができる。
【０１７８】
また血糖値情報処理装置２は、血糖値測定器５により測定された血糖値及び当該血糖値が測定された測定日時を取得し、例えばグラフ表示画面７０において例えば１か月分の血糖値を時系列に沿ってプロットした折れ線グラフ８１の下方にスライドバー８８を設け、当該スライドバー８８が平行移動されると、移動量に応じて遡った例えば１か月分の血糖値だけを時系列に沿って折れ線グラフ８１上にプロットするようにしたことにより、ユーザに対して煩雑な操作を強いることなく、ユーザが所望する期間又は範囲の血糖値及び血糖値情報を容易に提供することができる。
【０１７９】
（５）他の実施の形態
なお上述した実施の形態においては、血糖値情報処理装置２と血糖値測定装置５とが通信モジュール６及び光通信ユニットを介して無線接続されるようにした場合について述べたが、本発明はこれに限らず、血糖値情報処理装置２と血糖値測定装置５とが無線通信により接続されるようにしても良いし、また所定のケーブル等を介して有線接続されるようにしても良い。
【０１８０】
また上述した実施の形態においては、１台の血糖値情報処理装置２が血糖値測定器５により供給される測定データを保存及び管理するようにした場合について述べたが、本発明はこれに限らず、例えばイントラネット等により接続された複数台の血糖値情報処理装置２が血糖値測定器５により供給される測定データを保存及び管理するようにしても良いし、また複数台の血糖値情報処理装置２のうちの１台がマスタとして測定データを保存及び管理し、残りの血糖値情報処理装置２がマスタとしての血糖値情報処理装置２にアクセスすることにより測定データを一時的に使用するようにしても良い。
【０１８１】
さらに上述した実施の形態においては、血糖値測定器５により供給される測定データを患者ごとのフォルダに保存するようにした場合について述べたが、本発明はこれに限らず、例えば複数台の血糖値測定器５にそれぞれ固有の識別番号が設定されているような場合には、当該血糖値測定器５の識別番号ごとに測定データを保存するようにしても良い。
【０１８２】
この場合、血糖値情報処理装置２は、血糖値測定器５の識別番号と患者名とを予め関連付けておくようにすれば、患者検索画面４０（図６）により患者名が選択されると、当該患者名に関連付けられた識別番号のフォルダから測定データを読み出すことにより上述した血糖値情報処理を実行することができる。
【０１８３】
さらに上述した実施の形態においては、ＣＰＵ１１が、予めハードディスクドライブ１４に格納されている血糖値情報処理プログラムに従い、上述した血糖値情報処理を行うようにした場合について述べたが、本発明はこれに限らず、記憶媒体からインストールした血糖値情報処理プログラムや、インターネットからダウンロードした血糖値情報処理プログラム、その他種々のルートによってインストールした血糖値情報処理プログラムに従って上述した血糖値情報処理を行うようにしても良い。
【０１８４】
さらに上述した実施の形態においては、取得部として外部接続インターフェース部１７、区分部としてＣＰＵ１１、表示制御部としてＣＰＵ１１、変更部としてのＣＰＵ１１によって本発明の血糖値情報処理装置としての血糖値情報処理装置２を構成するようにした場合について述べた。本発明はこれに限らず、この他種々の構成でなる取得部、区分部、表示制御部、変更部によって血糖値情報処理装置を構成するようにしても良い。
【産業上の利用可能性】
【０１８５】
本発明の血糖値情報処理装置は、例えばパーソナルコンピュータ以外にも、ＰＤＡ(Personal Digital Assistant)、携帯電話機等のその他種々の電子機器に適用することができる。
【図面の簡単な説明】
【０１８６】
【図１】血糖値情報処理システムの構成を示す略線図である。
【図２】血糖値情報処理装置の回路構成を示す略線図である。
【図３】スタート画面の構成を示す略線図である。
【図４】ログイン画面の構成を示す略線図である。
【図５】患者検索画面の構成（１）を示す略線図である。
【図６】患者検索画面の構成（２）を示す略線図である。
【図７】時間帯区分テーブルの構成を示す略線図である。
【図８】全時間の折れ線グラフを表示したグラフ表示画面の構成（１）を示す略線図である。
【図９】全時間の折れ線グラフを表示したグラフ表示画面の構成（２）を示す略線図である。
【図１０】比較ボタンが選択された場合における全時間の折れ線グラフを表示したグラフ表示画面の構成を示す略線図である。
【図１１】時間帯別の折れ線グラフを表示したグラフ表示画面の構成を示す略線図である。
【図１２】月平均の平均グラフを表示したグラフ表示画面の構成を示す略線図である。
【図１３】月平均の平均グラフ及び標準偏差折れ線グラフを表示したグラフ表示画面の構成を示す略線図である。
【図１４】週平均の平均グラフを表示したグラフ表示画面の構成を示す略線図である。
【図１５】週平均の平均グラフ及び標準偏差折れ線グラフを表示したグラフ表示画面の構成を示す略線図である。
【図１６】１時間ごとの平均グラフを表示したグラフ表示画面の構成を示す略線図である。
【図１７】１時間ごとの平均グラフ及び標準偏差折れ線グラフを表示したグラフ表示画面の構成を示す略線図である。
【図１８】１時間ごとのプロットグラフを表示したグラフ表示画面の構成を示す略線図である。
【図１９】１時間ごとのプロットグラフ及び標準偏差折れ線グラフの構成を表示したグラフ表示画面の構成を示す略線図である。
【図２０】時間帯区分ごとの平均グラフを表示したグラフ表示画面の構成を示す略線図である。
【図２１】時間帯区分ごとの平均グラフ及び標準偏差折れ線グラフの構成を表示したグラフ表示画面の構成を示す略線図である。
【図２２】時間帯区分ごとのプロットグラフを表示したグラフ表示画面の構成を示す略線図である。
【図２３】時間帯区分ごとのプロットグラフ及び標準偏差折れ線グラフの構成を表示したグラフ表示画面の構成を示す略線図である。
【図２４】円グラフを表示したグラフ表示画面の構成を示す略線図である。
【図２５】月ごとの積上げ棒グラフを表示したグラフ表示画面の構成を示す略線図である。
【図２６】週ごとの積上げ棒グラフを表示したグラフ表示画面の構成を示す略線図である。
【図２７】Ｍｙグラフボタンが選択された場合のグラフ表示画面の構成を示す略線図である。
【図２８】血糖値ノート表示画面の構成を示す略線図である。
【図２９】時間帯区分の変更の様子を示す略線図である。
【符号の説明】
【０１８７】
１……血糖値情報処理システム、２……血糖値情報処理装置、３……プリンタ、４……血糖値測定ユニット、５……血糖値測定器、６……通信モジュール、１１……ＣＰＵ、１２……ＲＯＭ、１３……ＲＡＭ、１４……ハードディスクドライブ、１５……表示部、１６……操作部、１７……外部接続インターフェース部、１８……時計部、６０……時間帯区分テーブル、７０……グラフ表示画面、８６……比較ボタン、８８……スライドバー、３００……時間帯区分変更ポップアップメニュー、３０４……左ボタン、３０５……右ボタン。
【図１】
2010082008.tif 000003
【図２】
2010082008.tif 000004
【図３】
2010082008.tif 000005
【図４】
2010082008.tif 000006
【図５】
2010082008.tif 000007
【図６】
2010082008.tif 000008
【図７】
2010082008.tif 000009
【図２４】
2010082008.tif 000010
【図２５】
2010082008.tif 000011
【図２６】
2010082008.tif 000012
【図２８】
2010082008.tif 000013
【図２９】
2010082008.tif 000014
【図８】
2010082008.tif 000015
【図９】
2010082008.tif 000016
【図１０】
2010082008.tif 000017
【図１１】
2010082008.tif 000018
【図１２】
2010082008.tif 000019
【図１３】
2010082008.tif 000020
【図１４】
2010082008.tif 000021
【図１５】
2010082008.tif 000022
【図１６】
2010082008.tif 000023
【図１７】
2010082008.tif 000024
【図１８】
2010082008.tif 000025
【図１９】
2010082008.tif 000026
【図２０】
2010082008.tif 000027
【図２１】
2010082008.tif 000028
【図２２】
2010082008.tif 000029
【図２３】
2010082008.tif 000030
【図２７】
2010082008.tif 000031